(57)【要約】【課題】情報機器端末において誤操作することなく、表示されている画面の一部の領域を選択し、その領域の画像を保存することができる情報機器端末および情報機器端末のデータ保存方法を提供する。【解決手段】情報機器端末１は、筐体側方部１２にタッチ操作を検出するセンサ３１、３２、３３、３４を備え、センサ３１、３２、３３、３４が筐体側方部１２に沿って延長する形状であって表示部２０を挟んで対向するように配置されている。センサ３１、３２の両方を指でタッチするとともに、タッチしたセンサ３１、３２上で画面に対して同方向に指をスライドさせる操作を行い、続いてセンサ３３、３４の両方を指でタッチするとともに、タッチしたセンサ３３、３４上で画面に対して同方向に指をスライドさせる操作を行うことで、スライド開始位置からスライド終了位置までの領域に対応する画面の切取りおよび保存を実行する制御手段を備える。【選択図】図１
2015069540.tif 000002
【特許請求の範囲】
【請求項１】
筐体に画像を表示する表示部を備えた情報機器端末において、
前記筐体の前記表示部を挟んで対向する筐体側方部にユーザの指のタッチ位置を検出する一対のセンサを備え、
前記一対のセンサは前記筐体側方部に沿って延長する形状であって、
対向する位置にある前記一対のセンサの両方を指でタッチするとともに、タッチした前記一対のセンサ上で前記表示部の外縁に沿って同方向に指をスライドさせる操作を行うことで、スライド開始位置からスライド終了位置までの領域に対応する画面の切取りおよび保存を実行する制御手段を備え、
前記一対のセンサ上で指をスライドさせた量に応じて、前記表示部に表示されている前記画面のキャプチャー領域を変更可能としたことを特徴とする情報機器端末。
【請求項２】
前記筐体側方部には、前記表示部を挟んでベゼル部分に前記一対のセンサが配置されていることを特徴とする請求項１に記載の情報機器端末。
【請求項３】
前記情報機器端末の上下の前記筐体側方部と左右の前記筐体側方部とにそれぞれ前記一対のセンサを配置し、上下スライド操作と左右スライド操作との一方の操作に続けて他方の操作を行うことで、前記制御手段は上下方向におけるスライド開始位置からスライド終了位置までの領域に対応しかつ左右方向におけるスライド開始位置からスライド終了位置までの領域に対応する画面の切取りおよび保存を実行し、前記画面の一部がキャプチャー可能であることを特徴とする請求項１又は請求項２に記載の情報機器端末。
【請求項４】
表示部を挟んで対向する位置にある一対のセンサと、
前記一対のセンサで検出されたタッチ操作が画面のキャプチャー領域選択操作であることを判定する制御手段と、を備えた情報機器端末のデータ保存方法であって、
前記一対のセンサの両方を指でタッチするとともに、タッチした前記一対のセンサ上で画面に対して同方向に指をスライドさせるタッチ操作が行われたことを判定するステップと、前記タッチ操作が前記キャプチャー領域選択操作であることを判定するステップと、前記一対のセンサ上で指をスライドさせた始点座標から終点座標までの領域に対応して前記表示部に表示されている画像データを保存するステップと、を有することを特徴とするデータ保存方法。
【請求項５】
前記タッチ操作が前記キャプチャー領域選択操作であることを判定するステップは、前記情報機器端末の上下の筐体側方部と左右の筐体側方部とにそれぞれ前記一対のセンサが配置され、上下または左右のいずれか一方の、前記表示部を挟んで対向する位置にある前記一対のセンサの両方を指でタッチするとともに、タッチした前記一対のセンサ上で画面に対して同方向に指をスライドさせることで、スライド操作が行われたことを判定するステップに続けて、上下または左右のいずれか他方のスライド操作が行われたときに、前記タッチ操作が前記キャプチャー領域選択操作であると判定することを特徴とする請求項４に記載のデータ保存方法。
【発明の詳細な説明】
【技術分野】
【０００１】
本発明は、表示されている画面の一部の領域を選択し、その領域の画像を保存することができる情報機器端末および情報機器端末のデータ保存方法に関する。
【背景技術】
【０００２】
近年、表示部にタッチパネルが搭載された情報機器端末が増加し、各種の操作がタッチパネルに触れている指の動きで行われている。タッチパネルに触れた指の動きで画面スクロール等の直感的な操作が可能となった一方、直感的な操作以外の操作はあらかじめ操作方法を覚えておくことで、可能となったものがある。
【０００３】
例えば、画面に表示された画像を保存するタッチパネル操作が一部の情報機器端末に設定されている。また、画面の一部の領域を選択する操作は、特許文献１に記載された事例のように、タッチパネル操作で行う操作方法が提案されている。
【０００４】
特許文献１に記載されたタッチパネル操作で行う操作方法は、画面の一部の領域を選択する手順として、画面の外側から操作を開始するものである。図１２は、従来の携帯機１００における画面４００の一部の領域を選択する操作の説明図である。ここで、図１２（ａ）は画面４００の外部４０５のセンサが指の接触を認識する状態であり、図１２（ｂ）は指をドラッグしている操作状態を示す。
【０００５】
図１２に示すように、携帯機１００の画面の外側から操作されたタッチ操作であると認識されると、選択モードであることが認識される。この操作を検知できるように、画面の外部４０５に圧力センサ等のセンサが配置されている。操作者の指が画面４００の外部４０５から操作され、画面４００内にドラッグされると、指にタッチされているタッチポイント４２０に基づいて、ガイドライン４３０が表示される。
【先行技術文献】
【特許文献】
【０００６】
【特許文献１】米国特許出願公開第２０１２／００５６８３６号明細書
【発明の概要】
【発明が解決しようとする課題】
【０００７】
しかしながら、このような画面４００上でのタッチ操作は、他の直感的なタッチパネル操作のタッチ操作として誤認識される虞があった。通常のタッチ操作なのか、画面の一部の領域を選択する操作なのか、が、直前の操作にもとづき正しく認識されていなければならない。もし、画面のタッチパネル操作が誤認識されてしまうと、正しい入力操作が認識されるまで繰り返し操作したり、ユーザの希望していない画面に移行してしまったりする手間を生じる。このため、容易に、表示されている画面の一部の領域を選択し、その領域の画像を保存するデータ保存方法が求められていた。
【０００８】
本発明は、上述した課題を解決するものであり、特に、情報機器端末において誤操作することなく、表示されている画面の一部の領域を選択し、その領域の画像を保存することができる情報機器端末および情報機器端末のデータ保存方法を提供することを目的とする。
【課題を解決するための手段】
【０００９】
本発明の情報機器端末は、筐体に画像を表示する表示部を備えた情報機器端末において、前記筐体の前記表示部を挟んで対向する筐体側方部にユーザの指のタッチ位置を検出する一対のセンサを備え、前記一対のセンサは前記筐体側方部に沿って延長する形状であって、対向する位置にある前記一対のセンサの両方を指でタッチするとともに、タッチした前記一対のセンサ上で前記表示部の外縁に沿って同方向に指をスライドさせる操作を行うことで、スライド開始位置からスライド終了位置までの領域に対応する画面の切取りおよび保存を実行する制御手段を備え、前記一対のセンサ上で指をスライドさせた量に応じて、前記表示部に表示されている前記画面のキャプチャー領域を変更可能としたことを特徴とする。
【００１０】
この構成によれば、表示部を挟んで筐体側方部に配置された一対のセンサ上で指をスライドさせる操作を行うことで、スライド開始位置からスライド終了位置までの領域に対応する画面の切取りおよび保存を実行する制御手段を備えているので、表示部にタッチパネル等の入力手段を備えていても、表示されている画像を保存する操作が誤認識される虞がない。また、一対のセンサ上で同方向に指をスライドさせた量に応じて、表示されている画像の保存領域を変更可能としたので、画面の一部をキャプチャー領域として選択することができる。したがって、誤操作することなく表示されている画面の一部の領域を選択し、そのキャプチャー領域に表示されている画像を保存することができる。
【００１１】
また、本発明の情報機器端末において、前記筐体側方部には、前記表示部を挟んでベゼル部分に前記一対のセンサが配置されていることを特徴とする。
【００１２】
この構成によれば、一対のセンサがベゼル部分に配置されているので、情報機器端末の薄型化を阻害することがない。
【００１３】
また、本発明の情報機器端末は、前記情報機器端末の上下の前記筐体側方部と左右の前記筐体側方部とにそれぞれ前記一対のセンサを配置し、上下スライド操作と左右スライド操作との一方の操作に続けて他方の操作を行うことで、前記制御手段は上下方向におけるスライド開始位置からスライド終了位置までの領域に対応しかつ左右方向におけるスライド開始位置からスライド終了位置までの領域に対応する画面の切取りおよび保存を実行し、前記画面の一部がキャプチャー可能であることを特徴とする。
【００１４】
この構成によれば、上下スライド操作と左右スライド操作とのうち、いずれか一方の操作でこの方向のキャプチャー領域を選択し、引き続く他方の操作で直交する方向のキャプチャー領域を選択するので、誤操作することなく表示されている画面の一部の領域を容易に選択することができる。
【００１５】
本発明のデータ保存方法は、表示部を挟んで対向する位置にある一対のセンサと、前記一対のセンサで検出されたタッチ操作が画面のキャプチャー領域選択操作であることを判定する制御手段と、を備えた情報機器端末のデータ保存方法であって、前記一対のセンサの両方を指でタッチするとともに、タッチした前記一対のセンサ上で画面に対して同方向に指をスライドさせるタッチ操作が行われたことを判定するステップと、前記タッチ操作が前記キャプチャー領域選択操作であることを判定するステップと、前記一対のセンサ上で指をスライドさせた始点座標から終点座標までの領域に対応して前記表示部に表示されている画像データを保存するステップと、を有することを特徴とする。
【００１６】
一対のセンサの両方を指でタッチするとともに、タッチした一対のセンサ上で画面に対して同方向に指をスライドさせることによって、タッチ操作が行われたことを判定するようにしたので、誤操作することなく表示されている画像を保存することができる。
【００１７】
本発明のデータ保存方法において、前記タッチ操作が前記キャプチャー領域選択操作であることを判定するステップは、前記情報機器端末の上下の筐体側方部と左右の筐体側方部とにそれぞれ前記一対のセンサが配置され、上下または左右のいずれか一方の、前記表示部を挟んで対向する位置にある前記一対のセンサの両方を指でタッチするとともに、タッチした前記一対のセンサ上で画面に対して同方向に指をスライドさせることで、スライド操作が行われたことを判定するステップに続けて、上下または左右のいずれか他方のスライド操作が行われたときに、前記タッチ操作が前記キャプチャー領域選択操作であると判定することを特徴とする。
【００１８】
上下または左右のいずれか一方のタッチ操作に続き、他方のタッチ操作が行われたときに、タッチ操作がキャプチャー領域選択操作であると判定するので、誤操作することなく表示されている画面の一部の領域を選択し、保存することができる。
【発明の効果】
【００１９】
本発明によれば、表示部を挟んで筐体側方部に配置された一対のセンサ上で指をスライドさせる操作を行うことで、スライド開始位置からスライド終了位置までの領域に対応する画像の切取りおよび保存を実行する制御手段を備えているので、表示されている画像を保存する操作が誤認識される虞がない。また、一対のセンサ上で同方向に指をスライドさせた量に応じて、画面の一部をキャプチャー領域として選択することができる。したがって、誤操作することなく表示されている画面の一部の領域を選択し、画像を保存することができる情報機器端末および情報機器端末のデータ保存方法を提供することができる。
【図面の簡単な説明】
【００２０】
【図１】本発明の第１実施形態の情報機器端末の外観を示す斜視図である。
【図２】図１の情報機器端末の構成を示す説明図である。
【図３】第１実施形態のデータ保存方法を説明するフローチャートである。
【図４】第１実施形態のデータ保存方法における操作事例を示す説明図である。
【図５】図４に示す操作に続く操作事例を示す説明図である。
【図６】第１実施形態のデータ保存方法の変形例であり、情報機器端末を示す説明図である。
【図７】本発明の第２実施形態の情報機器端末の外観を示す斜視図である。
【図８】図７の情報機器端末の構成を示す説明図である。
【図９】第２実施形態のデータ保存方法を説明するフローチャートである。
【図１０】第２実施形態のデータ保存方法における操作事例を示す説明図である。
【図１１】図１０に示す操作に続く操作事例を示す説明図である。
【図１２】従来の携帯機における画面の一部の領域を選択する操作の説明図である。
【発明を実施するための形態】
【００２１】
以下、本発明の実施の形態について図面を用いて詳細に説明する。なお、分かりやすいように、図面は寸法を適宜変更している。
【００２２】
［第１実施形態］
図１は、本発明の第１実施形態の情報機器端末１の外観を示す斜視図である。図２は、図１の情報機器端末１の構成を示す説明図である。図３は、第１実施形態のデータ保存方法を説明するフローチャートである。図４は、第１実施形態のデータ保存方法における操作事例を示す説明図である。図５は、図４に示す操作に続く操作事例を示す説明図である。
【００２３】
情報機器端末１は、制御手段等が収納された筐体１０と、画像を表示する表示部２０と、を備えている。図１に示すように、表示部２０は筐体側方部１２のベゼル部分１２ａに囲まれている。なお、説明を分かりやすくするために、情報機器端末１の表示部２０に向かって、図１のＸ１側を上側、Ｘ２側を下側、Ｙ１側を左側、Ｙ２側を右側と称する。また、表示部２０が露出している面を表面、筐体１０のこれと反対の面を裏面と称する。また、情報機器端末１の外観は見栄えが重視されるため、単純な矩形状の箱に限定されるものではないが、図１では外観を単純化している。また、本発明に直接関係していない操作スイッチ等を省略している。
【００２４】
表示部２０は、画像を表示する表示手段として液晶ディスプレイを備えている。表示部２０には、情報機器端末１を操作する入力手段５０が、液晶ディスプレイに重なるように搭載されている。本実施形態では、入力手段５０としてタッチパネルが搭載されている。なお、これに限らず、例えば、液晶ディスプレイの替わりに有機ＥＬディスプレイを用いてもよい。また、入力手段５０が内蔵されたディスプレイであってもよい。
【００２５】
筐体側方部１２は、表示部２０を取り囲むベゼル部分１２ａと、ベゼル部分１２ａに連続する筐体１０の上下側面部分１２ｂおよび左右側面部分１２ｃと、からなる。なお、ベゼル部分１２ａは、表示部２０を構成する部材の一部分が着色されて非表示部とされているものであってもよい。
【００２６】
筐体側方部１２には、図１および図２に示すように、センサ３１、３２が上下側面部分１２ｂに、センサ３３、３４が左右側面部分１２ｃに、それぞれ、表示部２０を挟んで対向するように配置されている。本実施形態では、センサ３１、３２、３３、３４が静電容量の変化を検出する静電センサからなる。センサ３１、３２は、表示部２０の左右方向の寸法にほぼ等しい長さを有し、長さ方向に対する位置センサとして指でタッチした位置が検出可能である。センサ３３、３４は、表示部２０の上下方向の寸法にほぼ等しい長さを有し、長さ方向に対する位置センサとして指でタッチした位置が検出可能である。
【００２７】
本実施形態において、センサ３１、３２、３３、３４は、情報機器端末１の起動に連動して起動状態になっている。この状態では、それぞれが静電センサとして静電容量の測定動作が繰り返されており、指等の接触により静電容量が変化したときにその接触位置座標が検出できるように電極パターンと静電容量測定回路とが構成されている。なお、表示部２０に搭載されている入力手段５０が２次元位置座標を検出するタッチパネルであるのに対し、本実施形態のセンサ３１、３２、３３、３４は長さ方向の１次元位置座標を検出するタッチセンサである。
【００２８】
次に、第１実施形態のデータ保存方法を説明する。
【００２９】
図３に示すように、情報機器端末１が起動されると、センサ３１、３２、３３、３４は所定の静電容量測定を繰り返し行う（ステップＳ１１）。具体的には、センサ毎に、電極パターン間の静電容量測定から該センサの長さ方向に対する静電容量分布が算出され、測定された静電容量分布と初期値の静電容量分布との差異から指のタッチ位置を検出する。
【００３０】
図３に示すように、ステップＳ１１において、センサ３１、３２、３３、３４は所定の静電容量測定を繰り返し行っている。もし、測定された静電容量分布と初期値の静電容量分布との差異があらかじめ設定された閾値以下であれば、タッチ操作が行われていないものと判定される。
【００３１】
図４に示すように、表示部２０の外縁に沿って、表示部２０を挟んで対向する位置にあるセンサ３１およびセンサ３２を同時に指でタッチして、センサ３１、３２上で画面に対して同方向に指をスライドさせる操作を行う。スライド操作に伴って、センサ３１とセンサ３２とによって検出される指のタッチ位置が変化し、スライド操作の終点位置で静電容量変化が検出されなくなる。
【００３２】
図３に示すように、この測定データを用いて、ステップＳ１２において、対向位置に配置されたセンサ３１とセンサ３２との長さ方向の対向する位置座標へのタッチ操作が同時に行われたか否かが判定される。そして、タッチ操作であると判定された場合はスライド操作が検出され始めたスライド開始位置の始点座標とスライド操作が検出されなくなったスライド終了位置の終点座標とを推定している。
【００３３】
この操作に続いて、図５に示すように、表示部２０を挟んで対向する位置にあるセンサ３３およびセンサ３４を同時に指でタッチして、センサ３３、３４上で画面に対して同方向に指をスライドさせる操作を行う。スライド操作に伴って、センサ３３とセンサ３４とによって検出される指のタッチ位置が変化し、スライド操作の終点位置で静電容量変化が検出されなくなる。
【００３４】
この間も、センサ３１、３２、３３、３４は所定の静電容量測定を繰り返し行っている。これにより、ステップＳ１２でスライド操作ありと判定されたときには、ステップＳ１３において、対向位置に配置されたセンサ３３とセンサ３４との長さ方向の対向する位置座標へのタッチ操作が同時に行われたか否かが判定される。そして、タッチ操作であると判定された場合はスライド操作の始点座標と終点座標とを推定している。
【００３５】
ステップＳ１４において、センサ３１、３２上で指をスライドさせた量と、センサ３３、３４上で指をスライドさせた量と、によって、キャプチャー領域Ａ１を囲むガイドラインが表示され、キャプチャー領域Ａ１に表示されている画像データがキャッシュメモリーに保存される。この状態は画面の一部がキャプチャー可能となった所謂コピー操作であり、この操作により一時保存された画像データに対して、所定の入力操作によってファイル保存操作、又は各種ドキュメント等への貼り付け操作を行うことができる。
【００３６】
ステップＳ１５において、終了操作が行われていないときには、あらためて指でタッチしてスライド操作が行われているか、ステップＳ１２からの判定フローが繰り返される。
【００３７】
本実施形態では、表示部２０を挟んで対向する位置にあるセンサ同士が、同時に長さ方向の同じ位置座標と判断されるタッチ操作を検出し、同時にスライド操作を検出したときに画面のキャプチャー領域選択操作であると判断されている。キャプチャー領域選択操作であると判断したときに、画面にガイドラインＧ１、Ｇ２、Ｇ３、Ｇ４を表示して選択範囲を視認できるようにしておくことが好適である。
【００３８】
本実施形態では、上下スライド操作に続いて左右スライド操作を行う手順を説明したが、操作順（ステップＳ１２とステップＳ１３との順番）はこれに限定されない。いずれか一方のスライド操作が行われたと判定された後にそれに続く所定の期間内で他方のスライド操作が検出されたときに、画面のキャプチャー領域選択操作であると判断することができる。言い換えれば、上下方向および左右方向のスライド操作が所定の期間内で続けて行われたことが認識されたときのみ、画面のキャプチャー領域選択操作であると判定して、データ保存が実行される。
【００３９】
所定の期間内で上下方向又は左右方向のスライド操作が認識されなかったときには、いったんタッチ操作であると判定されていた所定期間内のデータがキャンセルされ、あらためて、最初からのタッチ操作に対する静電容量測定が行われる。
【００４０】
以上のように、本実施形態の情報機器端末１は、スライド開始位置からスライド終了位置までの領域に対応する画面の切取りおよび保存を実行する制御手段を備える。表示部２０を挟んで対向する位置にあるセンサ同士へのスライド操作が認識され、続いて残りのセンサ同士へのスライド操作が認識されたときにキャプチャー領域選択操作であると判断されるので、意識的に操作しなければキャプチャー領域選択操作に誤認識させることは不可能である。一方、画面のキャプチャーしたい領域に合わせて、表示部２０を囲む筐体側方部１２に配置されたセンサをスライド操作するタッチ操作は直感的な操作であるので、容易に操作することができる。また、表示部２０や他の入力操作スイッチ等を操作する必要がないので、それらを操作することによって誤操作してしまう心配は不要である。
【００４１】
以下、本発明の第１実施形態としたことによる効果について説明する。
【００４２】
第１実施形態の情報機器端末１は、筐体１０に画像を表示する表示部２０を備え、筐体側方部１２の上下側面部分１２ｂと左右側面部分１２ｃにそれぞれセンサ３１、３２、３３、３４を配置し、上下スライド操作と左右スライド操作との一方の操作に続けて他方の操作を行うことで、上下方向におけるスライド開始位置からスライド終了位置までの領域に対応しかつ左右方向におけるスライド開始位置からスライド終了位置までの領域に対応する画面の切取りおよび保存を実行する制御手段を備えることを特徴とする。
【００４３】
この構成によれば、表示部２０を挟んで筐体側方部１２に配置された一対のセンサ３１、３２、３３、３４上で指をスライドさせる操作を行うデータ保存方法であるため、表示部２０にタッチパネル等の入力手段５０を備えている情報機器端末１であっても、誤操作することなく表示されている画面の一部の領域を容易に選択することができる。また、センサ３１、３２上で同方向に指をスライドさせた量およびセンサ３３、３４上で同方向に指をスライドさせた量に応じて、表示されている画像の保存領域を変更可能としたので、画面の一部をキャプチャー領域Ａ１として選択することができる。したがって、誤操作することなく表示されている画面の一部の領域を選択し、そのキャプチャー領域Ａ１に表示されている画像を保存することができる。
【００４４】
図６は、第１実施形態の変形例であり、情報機器端末２を示す説明図である。
【００４５】
筐体側方部１２には、図６に示すように、センサ３１、３２、３３、３４が、表示部２０を取り囲むベゼル部分１２ａに配置されている。表示部２０の上側（Ｘ１側）にセンサ３１が、表示部２０の下側（Ｘ２側）にセンサ３２が、表示部２０の左側（Ｙ１側）にセンサ３３が、表示部２０の右側（Ｙ２側）にセンサ３４が、それぞれ位置している。
【００４６】
第１実施形態の変形例は、筐体側方部１２に配置されたセンサ３１、３２、３３、３４の位置がベゼル部分１２ａであること以外は同じ構成であり、同じ制御手段で、同じ効果を実現できる。
【００４７】
図６に示す第１実施形態の変形例の構成によれば、一対のセンサ３１、３２、３３、３４がベゼル部分１２ａに配置されているので、情報機器端末２の薄型化を阻害することがない。
【００４８】
［第２実施形態］
図７は、本発明の第２実施形態の情報機器端末３の外観を示す斜視図である。図８は、図７の情報機器端末３の構成を示す説明図である。図９は、第２実施形態のデータ保存方法を説明するフローチャートである。図１０は、第２実施形態のデータ保存方法における操作事例を示す説明図である。図１１は、図１０に示す操作に続く操作事例を示す説明図である。
【００４９】
情報機器端末３は、制御手段等が収納された筐体１０と、画像を表示する表示部２０と、を備えている。図７に示すように、表示部２０は筐体側方部１２のベゼル部分１２ａに囲まれている。
【００５０】
表示部２０は、画像を表示する表示手段として液晶ディスプレイを備えている。表示部２０には、情報機器端末１を操作する入力手段５０が、液晶ディスプレイに重なるように搭載されている。本実施形態では、入力手段５０としてタッチパネルが搭載されている。なお、これに限らず、例えば、液晶ディスプレイの替わりに有機ＥＬディスプレイを用いてもよい。また、入力手段５０が内蔵されたディスプレイであってもよい。
【００５１】
筐体側方部１２は、表示部２０を取り囲むベゼル部分１２ａと、ベゼル部分１２ａに連続する筐体１０の上下側面部分１２ｂおよび左右側面部分１２ｃと、からなる。なお、ベゼル部分１２ａは、表示部２０を構成する部材の一部分が着色されて非表示部とされているものであってもよい。
【００５２】
筐体側方部１２には、図７および図８に示すように、センサ３１、３２が上下側面部分１２ｂに、表示部２０を挟んで対向するように配置されている。本実施形態では、センサ３１、３２が静電容量の変化を検出する静電センサからなる。センサ３１、３２は、表示部２０の左右方向の寸法にほぼ等しい長さを有し、長さ方向に対する位置センサとして指のタッチ位置が検出可能である。
【００５３】
本実施形態において、センサ３１、３２は、情報機器端末３の起動に連動して起動状態になっている。この状態では、それぞれが静電センサとして静電容量の測定動作が繰り返されており、指等の接触により静電容量が変化したときにそのタッチ位置が検出できるように電極パターンと静電容量測定回路とが構成されている。なお、表示部２０に搭載されている入力手段５０が２次元位置座標を検出するタッチパネルであるのに対し、本実施形態のセンサ３１、３２は長さ方向の１次元位置座標を検出するタッチセンサである。
【００５４】
次に、第２実施形態のデータ保存方法を説明する。
【００５５】
図９に示すように、情報機器端末３が起動されると、センサ３１、３２は所定の静電容量測定を繰り返し行う（ステップＳ２１）。具体的には、センサ毎に、電極パターン間の静電容量測定から該センサの長さ方向に対する静電容量分布が算出され、測定された静電容量分布と初期値の静電容量分布との差異から指のタッチ位置を検出する。
【００５６】
図９に示すように、ステップＳ２１において、センサ３１、３２は所定の静電容量測定を繰り返し行っている。もし、測定された静電容量分布と初期値の静電容量分布との差異があらかじめ設定された閾値以下であれば、タッチ操作が行われていないものと判定される。
【００５７】
図１０に示すように、表示部２０の外縁に沿って、表示部２０を挟んで対向する位置にあるセンサ３１およびセンサ３２を同時に指でタッチして、センサ３１、３２上で画面に対して同方向に指をスライドさせる操作を行う。スライド操作に伴って、センサ３１とセンサ３２とによって検出される指のタッチ位置が変化し、スライド操作の終点位置で静電容量変化が検出されなくなる。
【００５８】
この測定データを用いて、ステップＳ２２において、対向位置に配置されたセンサ３１とセンサ３２との長さ方向の対向する位置座標へのタッチ操作が同時に行われたか否かが判定される。そして、タッチ操作であると判定された場合はスライド操作が検出され始めたスライド開始位置の始点座標とスライド操作が検出されなくなったスライド終了位置の終点座標とを推定している。
【００５９】
キャプチャー領域選択操作であると判断したときには、選択範囲を視認できるように、画面にガイドラインＧ５、Ｇ６が表示される（図１０）。
【００６０】
ガイドラインＧ５、Ｇ６が表示されている状態で、ステップＳ２３において、表示部２０の入力手段５０上で指をガイドラインＧ５、Ｇ６の間で上下方向にスライドさせる。
【００６１】
ステップＳ２４において、センサ３１、３２上で指をスライドさせた量と、表示部２０の入力手段５０上で指をスライドさせた量と、によって、図１１に示すように、キャプチャー領域Ａ２を囲むガイドラインが表示され、キャプチャー領域Ａ２に表示されている画像データがキャッシュメモリーに保存される。この状態は所謂コピー操作であり、この操作により一時保存された画像データに対して、所定の入力操作によってファイル保存操作、又は各種ドキュメント等への貼り付け操作を行うことができる。
【００６２】
ステップＳ２５において、終了操作が行われていないときには、あらためて指でタッチしてスライド操作が行われているか、ステップＳ２２からの判定フローが繰り返される。
【００６３】
本実施形態では、表示部２０を挟んで対向する位置にあるセンサ同士が、同時に長さ方向の同じ位置座標と判断されるタッチ操作を検出し、同時にスライド操作を検出したときに画面のキャプチャー領域選択操作であると判断されている。
【００６４】
キャプチャー領域選択操作であると判断された直後に、他のスイッチ操作を行ったり、ガイドラインＧ５、Ｇ６の間以外の入力手段５０上をタッチ操作したり、所定期間が経過したりすると、いったんタッチ操作であると判定されていた所定期間内のデータがキャンセルされ、あらためて、最初からのタッチ操作に対する静電容量測定が行われる。
【００６５】
以下、本発明の第２実施形態としたことによる効果について説明する。
【００６６】
第２実施形態の情報機器端末３は、筐体１０に画像を表示する表示部２０を備え、筐体側方部１２にユーザの指のタッチ操作を検出する一対のセンサ３１、３２を備えている。一対のセンサ３１、３２が筐体側方部１２に沿って延長する形状であって、表示部２０を挟んで対向するように配置されており、ユーザは対向する位置にある一対のセンサ３１、３２の両方を指でタッチするとともに、タッチした一対のセンサ３１、３２上で画面に対して同方向に指をスライドさせる操作を行うことで、スライド開始位置からスライド終了位置までの領域に対応する画面の切取りおよび保存を実行する制御手段を備えることを特徴とする。こうして、センサ３１、３２上で指をスライドさせた量に応じて、表示部２０に表示されている画面のキャプチャー領域Ａ２を変更可能とした。
【００６７】
この構成によれば、表示部２０を挟んで筐体側方部１２に配置された一対のセンサ３１、３２上で指をスライドさせる操作を行うデータ保存方法であるため、表示部２０にタッチパネル等の入力手段５０を備えている情報機器端末３であっても、誤操作することなく表示されている画面の一部の領域を容易に選択することができる。また、一対のセンサ３１、３２上で同方向に指をスライドさせた量と、引き続く入力手段５０上のタッチ操作で指をスライドさせた量と、に応じて、表示されている画像の保存領域を変更可能としたので、画面の一部をキャプチャー領域Ａ２として選択することができる。したがって、誤操作することなく表示されている画面の一部の領域を選択し、そのキャプチャー領域Ａ２に表示されている画像を保存することができる。
【００６８】
第２実施形態の情報機器端末３は、筐体側方部１２の上下方向に一対のセンサ３１、３２を備えている構成としたが、左右方向のセンサであってもよい。この場合は、引き続く入力手段５０のタッチ操作をガイドライン間における左右方向のスライド操作によって、画面の一部をキャプチャー領域Ａ２として選択することができる。
【００６９】
以上のように、本発明の第１実施形態および第２実施形態の情報機器端末および情報機器端末のデータ保存方法を具体的に説明したが、本発明は上記の実施形態に限定されるものではなく、要旨を逸脱しない範囲で種々変更して実施することが可能である。例えば次のように変形して実施することができ、これらも本発明の技術的範囲に属する。
【００７０】
（１）本実施形態において、筐体側方部１２に配置された一対のセンサは、長さ方向の１次元位置座標を検出するタッチセンサであるとしたが、２次元位置座標を検出可能なタッチセンサを用いてもよい。２次元位置座標を検出可能なタッチセンサであれば、長さ方向のスライド操作をキャプチャー領域選択操作であると判断するほかに、幅方向の操作を他の入力操作として割り当てることが可能である。
【００７１】
（２）本実施形態において、筐体側方部１２に配置された一対のセンサは、静電容量の変化を検出する静電センサであるとしたが、押圧によって抵抗値が変化する抵抗式タッチセンサを用いてもよい。
【符号の説明】
【００７２】
１      情報機器端末
１０    筐体
１２    筐体側方部
１２ａ  ベゼル部分
１２ｂ  上下側面部分
１２ｃ  左右側面部分
２０    表示部
３１、３２、３３、３４  センサ
５０    入力手段
【図１】
2015069540.tif 000003
【図２】
2015069540.tif 000004
【図３】
2015069540.tif 000005
【図４】
2015069540.tif 000006
【図５】
2015069540.tif 000007
【図６】
2015069540.tif 000008
【図７】
2015069540.tif 000009
【図８】
2015069540.tif 000010
【図９】
2015069540.tif 000011
【図１０】
2015069540.tif 000012
【図１１】
2015069540.tif 000013
【図１２】
2015069540.tif 000014